(57)【要約】【課題】折戸の連結部における戸板端部間への指の進入を簡単な構造で確実に防止でき、かつ美観にもすぐれた指詰防止具およびこれを装着した折戸を提供する。【解決手段】指詰防止具２０は、折戸１０の開、閉動作に伴って、折戸１０の連結支点１１ｂに対して離反、近接移動する作用部２３を有する、戸板１２の後面１２ｄに取り付けられる作動部２２と、折戸１０の連結部１１の前方に配される指詰防止カバー部２１と、作用部２３に連結され、折戸１０の連結部１１における戸板１２の端部１２ａ，１２ａ間の隙間１３を通して前方に突出するように配され、前端に指詰防止カバー部２１を支持した連結支持片２５とを備え、折戸の開、閉動作に伴う作用部２３の動作によって、連結支持片２５を後、前に移動させて、指詰防止カバー部２１を折戸１０の連結支点１１ｂに対し近接、離反移動させることを特徴とする。【選択図】図１
2010084399.tif 000002
【特許請求の範囲】
【請求項１】
複数枚の戸板を、折り畳み自在に連結した折戸の連結部に装着される指詰防止具であって、
前記折戸の開、閉動作に伴って、前記折戸の連結支点に対して離反、近接移動する作用部を有する、前記戸板の後面に取り付けられる作動部と、
前記折戸の連結部の前方に配される指詰防止カバー部と、
前記作用部に連結され、前記折戸の連結部における戸板の端部間の隙間を通して前方に突出するように配され、前端に前記指詰防止カバー部を支持した連結支持片とを備え、
前記折戸の開、閉動作に伴う前記作用部の動作によって、前記連結支持片を後、前に移動させて、前記指詰防止カバー部を前記折戸の連結支点に対し近接、離反移動させることを特徴とする指詰防止具。
【請求項２】
請求項１において、
前記作動部は、中央部で折り畳み自在とした対の構造をなし、前記作動部を、前記中央部で折り畳み展開動作が可能なように、前記折戸の連結部において連結された２枚の戸板の後面に取り付けた後は、前記折戸の動作に伴って前記作動部の中央部が前記作用部として動作する構成にしている指詰防止具。
【請求項３】
複数枚の戸板を、折り畳み自在に連結した連結部を有した折戸であって、請求項１または２に記載の指詰防止具を装着した折戸。
【発明の詳細な説明】
【技術分野】
【０００１】
本発明は、折り畳み自在に連結した折戸の連結部に装着される指詰防止具およびこれを装着した折戸に関する。
【背景技術】
【０００２】
折戸は、これを開くときには、隣接する２枚の戸板を連結した連結部がガイドレールよりも前方側に突出しながら、各戸板の連結端部の端部間は扇のように開いてゆき、戸板を完全に折り畳むまで開くと、２枚の戸板が重なり合って、両方の端面はレールに直交する方向を向く。一方、折戸を閉じるときには、２枚の戸板の連結端部の端部間がはさみのように閉じてゆく。
【０００３】
折戸は開閉によってこのような動作をするため、従来では、折戸が開いた状態から、連結部における両戸板の端部間を手指で押えながら折戸を閉じようとすれば、２枚の戸板の端部間に指が挟まれてしまう危険性があった。
【０００４】
また、折戸の連結部は蝶番などの連結部材で戸板を連結することで構成され、この蝶番のヒンジピンを連結支点として折り畳み自在な構造となっており、この蝶番を配設するために連結部における戸板の端面間にはわずかな隙間が形成される。特に、折戸が完全に開いた状態から閉状態に移行するまでの間は、連結部における戸板の端部間が開いた状態にあり、そのため連結支点の支軸部分、つまり２枚の戸板の連結端部の後方角部間に形成される上記隙間が前方に露出された状態となる。この隙間は、４〜５ｍｍ程度のものであり大人では指が挟まれるおそれはほとんどないが、乳幼児ではその隙間に指が挟まれるおそれがあった。
【０００５】
このような連結部における戸板の端部間あるいは支軸部分の隙間への指詰めを防止するために、種々の指詰防止具やそのような部材を設けた折戸が種々提案されている（例えば、特許文献１を参照）。
【０００６】
特許文献１に記載の指詰防止手段は、戸板の端部間に膜のような軟質部材を折り畳み展開自在に介在させたもので、この軟質部材によって、折戸が閉動する際に連結支点の支軸部分にできる上記隙間を前方より遮蔽して、隙間への指の進入を防止する構造となっている。
【特許文献１】実開昭６３−２３４８２号公報
【発明の開示】
【発明が解決しようとする課題】
【０００７】
しかしながら、特許文献１のものでは、折戸の閉動時の上記隙間への指の進入は防止できても、折戸が開状態にあるときには、展開した軟質部材は連結部における２枚の戸板の端面のすべてを隠していないため、閉動時のこの端面間で指が挟まれることを完全には防止できない。
【０００８】
さらに、このものは、折戸が閉状態のときには、軟質部材が折り畳まれて収容された幅広の隙間が前方に露出されるため、見映えはきわめて悪いものと想定される。
【０００９】
このように従来の指詰防止手段は、折戸の連結部の危険領域の一部を隠すだけのものがほとんどであり、簡易な構造により指詰めを防止でき、かつ折戸の美観を損なわないような指詰防止具の開発が望まれていた。
【００１０】
本発明は、このような事情を考慮して提案されたもので、その目的は、折戸の連結部における戸板端部間への指の進入を簡単な構造で確実に防止でき、かつ美観にもすぐれた指詰防止具およびこれを装着した折戸を提供することにある。
【課題を解決するための手段】
【００１１】
上記目的を達成するために，請求項１に記載の指詰防止具は、複数枚の戸板を、折り畳み自在に連結した折戸の連結部に装着される指詰防止具であって、折戸の開、閉動作に伴って、折戸の連結支点に対して離反、近接移動する作用部を有する、戸板の後面に取り付けられる作動部と、折戸の連結部の前方に配される指詰防止カバー部と、作用部に連結され、折戸の連結部における戸板の端部間の隙間を通して前方に突出するように配され、前端に前記指詰防止カバー部を支持した連結支持片とを備え、折戸の開、閉動作に伴う前記作用部の動作によって、連結支持片を後、前に移動させて、指詰防止カバー部を前記折戸の連結支点に対し近接、離反移動させることを特徴とする。
【００１２】
請求項２に記載の指詰防止具は、請求項１において、作動部は中央部で折り畳み自在とした対の構造をなし、作動部を、前記中央部で折り畳み展開動作が可能なように、前記折戸の連結部において連結された２枚の戸板の後面に取り付けた後は、折戸の動作に伴って作動部の中央部が前記作用部として動作する構成にしている。
【００１３】
請求項３に記載の折戸は、複数枚の戸板を、折り畳み自在に連結した連結部を有した折戸であって、請求項１または２に記載の指詰防止具が装着されている。
【発明の効果】
【００１４】
本発明の指詰防止具および折戸によれば、折戸の閉動作に伴って、指詰防止具の作動部に備えた作用部が折戸の連結支点に対し近接する作用を有し、これに伴って連結支持片を前に移動させて指詰防止カバー部が折戸の連結支点に対し離反移動する構造になっているため、折戸の閉動作中に狭まってゆく戸板の端部間において、指詰防止カバー部が徐々に突出してゆく動作をなす。そのため、折戸の閉操作時における戸板の端部間への指の進入を確実に防止できる。さらに、指詰防止カバー部で連結部の前方を隠す構成であるため、美観にもすぐれている。
【００１５】
また他の本発明では、作動部が中央部で折り畳み展開を自在とした対の構造をなし、その中央部が折戸の開閉動作に伴って作用部として動作する構成となっているため、簡易な構造で指詰防止具を形成できる。さらに、指詰防止カバー部は折戸の動作に伴って作動する構成であるため、開閉な状況に応じた戸板端部間の遮蔽を確実かつスムースにできる。また、指詰防止具の構造が簡易であるため、折戸への取付も容易に行える。
【００１６】
もちろん、折戸の閉動作のときも、閉動作に伴って作用部が折戸の連結支点に対し近接するように折り畳み動作をなし、連結支持片を前に移動させて指詰防止カバー部を折戸の連結支点に対し離反させる構成としているため、拡がってゆく戸板の端部間に対応して指詰防止カバー部が動作して、スムースな動作がなされる。
【発明を実施するための最良の形態】
【００１７】
以下に、本発明の実施形態について添付図面を参照しながら説明する。
【００１８】
図１は、本発明の指詰防止具および折戸の第１の実施形態を示す図であり、折戸の設置状態を示す横断面図、および図中のＸ２に相当する箇所（折戸の連結部）の拡大部分横断面図であり、図２は図１のＹ１方向から見た折戸を閉じた状態の折戸の正面図、図３は図１のＹ２方向から見た折戸の背面図である。図４は、同指詰防止具の部分斜視図である。
【００１９】
この折戸１０は、クローゼットの扉や、相互に隣接する居室間の開閉可能な間仕切りとして使用される。図例のものは、連結された一対の戸板１２，１２よりなる２組の折戸１０，１０が、敷居３に敷設されたガイドレール４上に、開閉移動可能に取り付けられている。
【００２０】
より具体的には、折戸１０を構成する２枚の戸板１２は、隣り合う端部１２ａが蝶番１１ａで回動可能に連結されているとともに、一方の戸板１２の他方の端部１２ｂが、柱１に取り付けた縦枠２にヒンジ結合され、他方の戸板１２の他方の端部１２ｂがレール４上に走行可能に取り付けられている。
【００２１】
このように、一方の戸板１２を縦枠２にヒンジ結合したものでは、他方の戸板１２をレール４上で移動させる場合には、蝶番１１ａによって、連結部１１が移動しながら折戸１０は開閉される。
【００２２】
なお、本発明の折戸は、折戸１０を構成するいずれの戸板１２もが縦枠２にヒンジ結合されず、両戸板１２ともにレール４上を移動するものにも適用が可能である。また、折戸は一対の戸板よりなるものに限定されず、複数対が連結されたものであってもよい。その場合、レール４上でも戸板同士が連結されるが、その連結部は本明細書でいう連結部１１には含まれない。
【００２３】
折戸１０を構成する各戸板１２においては、連結部１１で連結され、開動作のときに突出する端部１２ａには、突出方向側の戸板１２の前方角部１２ａｂが面取りされ、端面１２ａａには傾斜した面取り部１２ａｃが形成されている。折戸１０が閉じているときには、２枚の戸板１２には、面取り部１２ａｃが隣り合うことによって、戸板１２の前面１２ｃに上下に走る、断面視でＶ字状に漸開した縦溝１４が形成される。なお、本明細書および特許請求の範囲では、折戸１０の開操作により連結部１１が突出する方向を前方と呼び、その反対方向を後方と呼ぶ（後述する第２の実施形態についても同様）。
【００２４】
また、連結部１１の構成部材である蝶番１１ａは、２枚の戸板１２の後面１２ｄに、戸板１２の一部を掘り込んで取り付けられ、その蝶番１１ａのヒンジピンが、連結部１１において２枚の戸板１２を折り畳み自在とした連結支点（折り畳み支点）１１ｂを構成する。
【００２５】
この蝶番１１ａは、本実施形態では図３に示すように、上下方向の上、下、中央の３箇所に取り付けられており、図１の拡大図に示すように、この蝶番１１ａをスムースに動作させるために、折戸１０がある程度開いた状態では、２枚の戸板１２の端部１２ａ（後方角部１２ａｄ）間には、連結支点１１ｂによってできる所定の隙間１３が形成される。
【００２６】
また、折戸１０の開動および閉動がなされる際、連結部１１１における戸板１２，１２の端部１２ａ，１２ａ間には、後述するように折戸１０の開閉に伴って、拡大および縮小される扇状の空間ｆｓが形成される。このような折戸１０の開閉操作は、おもに戸板１２に設けられた把手１２ｅ（取っ手）によってなされるが、閉操作は、両戸板１２，１２の端部１２ａ，１２ａ間の上記空間ｆｓに接する両戸板１２，１２の端面１２ａａ，１２ａａなど、連結部１１近傍を押し操作することによってもなされる。
【００２７】
本実施形態においては、この連結部１１に、上記隙間１３を通って、その前方と後方とに跨るように指詰防止具２０が配設、固定されている。この指詰防止具２０は、連結部１１近傍の戸板１２の後面１２ｄで両端が固定されるシート状の作動部２２と、この作動部２２の中央折曲部２２ｂ（中央部）より前方に向かうように平板状に延設された連結支持片２５と、その連結支持片２５の前端に固定、支持された指詰防止カバー部２１とを含んで構成される。
【００２８】
この作動部２２は、中央折曲部２２ｂで折り畳み展開可能となった作動部本体２２ａと、その両端に配された一対の取付片２４，２４とより構成されている。作動部本体２２ａは、中央折曲部２２ｂの両側に配された一対の本体片２２ａａ，２２ａａ（図１および図４に図示）よりなり、それらのそれぞれの外端側に一対の取付片２４，２４が形成されている。
【００２９】
この取付片２４は取付折曲部２２ｃを介して設けられ、２枚の戸板１２のそれぞれの後面１２ｄに固着するために平板状に形成されている。図１の拡大横断面図に示すように、折戸１０が開いた状態では、この作動部２２は、Ｖ字形状の作動部本体２２ａと、その両側の一対の取付片２４とでＷ字形状をなしている。
【００３０】
なお、作動部２２の取付部は平板状の取付片２４に限られず、取り付けた後に作動部本体２２ａの中央折曲部２２ｂが動作可能となるように固定できるものであれば、他の構造であってもよい。また、作動部を取り付けた状態でＷ字形状をなさず、取付片２４が図１の例とは反対方向に折れ曲がって取り付けられるような取付態様であってもよい。
【００３１】
また、指詰防止カバー部２１は、ガイドレール４に略平行な平板形状をなし、前方にわずかに突出するように湾曲しており、裏側の中央位置で連結支持片２５に連結、支持されている。また、この指詰防止カバー部２１の両端には、裏側に小半円柱状に突出した突起部２１ａが形成されている。
【００３２】
指詰防止カバー部２１は、後述するように、折戸１０と作動部２２の協働によって、折戸１０の開動作に伴って連結支点１１ｂに対し相対的に後方に移動する一方、折戸１０の閉動作に伴って連結支点１１ｂに対し相対的に前方に移動し、その移動中において、その両端の突起部２１ａが戸板１２の端面１２ａａに近接あるいはわずかに接触しながら動作するが、突起部２１ａの周面が曲面形状とされているため、戸板の端面１２ａａを傷めるおそれはほとんどない。
【００３３】
この指詰防止具２０は、２枚の戸板１２の連結部１１を指詰防止カバー部２１によって前方より覆って指の進入を防止するものであるが、本実施形態では、折戸１０の全高にわたって設けたものではなく、図２，３に示すように、乳幼児等の指の進入が十分に防止できるように、幼児の身長に合わせて、戸板１２の下端位置から、中央よりやや高い位置までに対応した長さのものが配設されている。
【００３４】
図２の正面図に示すように、指詰防止カバー部２１は指詰防止具２０の全長にわたって途切れることなく形成されており、戸板１２の端部１２ａの面取り部１２ａｃによって形成される縦溝１４を隠すように、折戸１０の連結部１１の前方に表れている。また図３の背面図に示すように、折戸１０の後方には蝶番１１ａが取り付けられているため、作動部２２は蝶番１１ａの取付箇所を除く部位に取付できるように部分的に形成されている。
【００３５】
本実施形態では、指詰防止具２０は、指詰防止カバー部２１、取付部２４を含む作動部２２、連結支持片２５が樹脂等で一体成形されており、蝶番１１ａの取付位置に応じて作動部２２と連結支持片２５とを適宜切り取って使用することが望ましい。図２，３に示した指詰防止具２０は、図４に示すように、指詰防止具２０の上端部などで、作動部２２（取付片２４を含む）と連結支持片２５の一部が切り取られている。
【００３６】
この指詰防止具２０の作動部２２は、薄板状の樹脂シート体よりなり、折戸１０に取り付けず、なんらの外力も加えない状態では、Ｖ字形状の対の構造をなす作動部本体２２ａと、その両端より延設された一対の取付片２４とが平面視でＷ字形状をなしている。つまり作動部２２は、外力を加えない状態では、連結支持片２５が延設された作動部本体２２ａの中央折曲部２２ｂと、作動部本体２２ａと両側の取付片２４との間の一対の取付折曲部２２ｃとの３箇所で折れ曲がっている。
【００３７】
これら３つの折曲部２２ｂ，２２ｃ，２２ｃは、指詰防止具２０が樹脂で一体成形されているため、作動部２２に外力が付加されると折曲角度（折曲部の両片のなす角度。以下同様）が変動する一方、外力を取り除くと復帰弾性力によってもとの状態に戻る。つまり、この作動部２２は、図４の矢印Ａに示すように一対の取付片２４の両側より押圧すると、折曲部２２ｂ、２２ｃの折曲角度が徐々に小さくなり、作動部２２は折り畳んだ状態となる一方、矢印Ｂに示すように一対の取付片２４の両側を引き伸ばすと、折曲部２２ｂ、２２ｃの折曲角度が徐々に大きくなり、作動部２２は展開された状態となる。作動部２，２のこれら３箇所の折曲部２２ｂ，２２ｃを除く平板部は、上記のような外力によってもほとんど変形されない。なお、指詰防止具は、上記のような外力を加えて折り畳んだり展開したりしても復帰弾性力が生じないものでもよく、少なくとも作動部本体２２ａの中央折曲部２２ｂを除く平板部がある程度の不撓性を有していればよい。
【００３８】
これらの折曲部２２ｂ，２２ｃ，２２ｃのうち作動部本体２２ａの中央に形成されている中央折曲部２２ｂは、指詰防止具２０を折戸１０に取り付けた後には、折戸１０の開閉動作に伴って動作し、指詰防止カバー部２１を前後に移動させるための作用部２３を構成する。また、作動部本体２２ａと両取付片２４との間の一対の取付折曲部２２ｃは、折戸１０の開閉動作に伴って上記作用部２３を移動させるための動作支点を構成する。つまり、指詰防止具２０を折戸１０に取り付けることで、この作用部２３と、両取付折曲部２２ｃと、連結支点１１ｂとよりなる四角形によってパンタグラフ状の機構（以下、パンタグラフ機構という。）が形成される。
【００３９】
図５〜７は、折戸１０の閉動時の連結部１１の状態遷移（図１のＸ１の状態からＸ２の状態を経て全閉（図１中の左側の折戸の状態Ｘ３に相当する）状態までの遷移）を、図順にしたがって時系列に示した連結部１１の部分横断面図である。なお、これらの図では、指詰防止具取付用のビスの図示も省略している。
【００４０】
折戸１０がほぼ全開した状態では、２枚の戸板１２が重なり合うように折り畳まれ、端部１２ａの端面１２ａａが前方を向いている。指詰防止具２０の作動部２２は、それらの戸板１２に挟まれて折戸１０と同様に折り畳まれている一方、指詰防止カバー部２１は、２枚の戸板１２の開いた端面１２ａａに近接した位置に配置されている（図５（ａ）を参照）。なお、指詰防止具２０は、後述する装着方法によって、図５（ａ）で示した位置に位置決めされて装着されることが望ましい。
【００４１】
その後、折戸１０を徐々に閉じてゆくと、折戸１０の閉動作に伴って、作動部２２の３つの折曲部２２ｂ、２２ｃが開いて作動部２２（作動部本体２２ａ）が展開してゆき、それとともに、パンタグラフ機構を形成している菱形形状に近い四角形は、縦長の状態から横長の状態へと変形してゆく（図５（ｂ）、図６、図７を参照）。つまり、作動部２２の作用部２３は折戸１０の閉動作に伴って連結部１１の連結支点１１ｂに近接する動作をなす。
【００４２】
このように、作動部２２の中央折曲部２２ｂが作用部２３を構成して、連結支点１１ｂに近づいてゆくことで連結支持片２５が前方に押し出され、それに伴って連結支持片２５の前端に設けた指詰防止カバー部２１も、狭まってゆく２枚の戸板の端面１２ａａに挟まれるように前方に突出してゆき、折戸１０が全閉すると、２枚の戸板１２の面取り部１２ａｃで形成された縦溝１４を左右に跨ぐように、戸板１２の前面１２ｄに近接する位置で停止する（図５（ｂ）、図６、図７を参照）。
【００４３】
以上のように、指詰防止カバー部２１は折戸１０の閉動作中において、開き度合いが徐々に狭まってゆく戸板１２の端面間の空間ｆｓを塞ぐように、指詰防止カバー部２１の両端が両戸板１２の端面１２ａａと近接し、あるいはわずかに接触しながら擦り動いてゆく。そのため、連結支点１１ｂにできる隙間１３を含む端部間の危険な空間ｆｓへの指の進入を確実に防止できる。また、作動部２２の中央折曲部２２ｂを折戸１０の開閉動作に伴って作用部２３として動作させえる構成であるため、構造がきわめて簡易であり、そのため指詰防止具およびそれを取り付けた折戸の製造を容易に行える。
【００４４】
また、折戸１０が全閉状態では、指詰防止カバー部２１が面取り部１２ａｃによってできる縦溝１４を前方より覆うので見映えもよい。折戸１０の全高にわたって指詰防止カバー部２１を設ければ、全閉時には縦溝１４が隠れる箇所と露出される箇所とが混在して表面に表れないため、指詰防止具２０によって美観が損なわれることはほとんどない。
【００４５】
さらに、この指詰防止具２０によれば、一体に形成されているため、一部材を連結部１１に付加するだけで安全な折戸１０を構成することができる。また、樹脂等で一体成形すれば、指詰防止具２０自体を安価に製造でき、また一部材で構成しているので保管や在庫管理に手間がかからない。なお、作動部（取付片を含む）のみ、あるいは作動部と連結支持片とを一体に形成してもよい。その場合も作動部の取付は簡易に行え、製造コストを抑えられる。
【００４６】
また、指詰防止具２０は、上記のような理由から樹脂により一体成形することが望ましいが、平板状の不撓性の４部材をシートで覆って、３箇所で折曲自在に形成したＷ字形の一体シート体で構成してもよい。
【００４７】
なお、本実施形態の指詰防止具２０は、弾性樹脂で一体成形されたものであるため、折り畳み展開によって折戸の開閉動作に抗する復帰弾性力を生じるが、それらの復帰弾性力は折戸を開から閉に、あるいは閉から開に復帰させるものでないことはいうまでもない。
【００４８】
一方、折戸１０の開動作については図示を省略しているが、開動作中では指詰防止具２０は閉動作とは逆の動作をする。すなわち、指詰防止具２０は、折戸１０の開動作に伴って、パンタグラフ機構が動作して、連結支持片２５が端部１２ａ間を後方に移動するとともに、指詰防止カバー部２１が折戸１０の連結支点１１ｂに対し近づくように移動する。
【００４９】
以上のように、本実施形態の指詰防止具２０を使用すれば、指詰防止折戸を簡易に製造できるが、さらに指詰防止対策がなされていない既設の折戸へ後付けすることも容易にできる。図８，９は、本指詰防止具の折戸の連結部への取付手順を示す概略部分横断面図であり、取付手順を図８（ａ）、（ｂ）、図９（ａ）、（ｂ）、（ｃ）の順に時系列に示している。
【００５０】
指詰防止具１０を取り付ける際には、まず２枚の戸板１２の後方角部１２ａｄ間に十分な隙間１３ができるように、折戸１０を開いた状態にしておく。一方、その折戸１０に装着する指詰防止具２０は、蝶番１１ａの取付位置に合わせてあらかじめ作動部２２と連結支持片２５の一部を切り取っておき、その作動部２２を３つの折曲部２２ｂ、２２ｃで折り畳んで、連結支持片２５を２つに折れ曲がった作動部本体２２ａで挟み込み、さらにその外側に一対の取付片２４を折り畳み重合させて、５層の板材よりなる重合板体３０を形成しておく（図８（ａ）を参照）。
【００５１】
指詰防止具２０は、この重合板体３０が連結支点１１ｂにできる隙間１３に挿入できるように、作動部本体２２、取付片２４、連結支持片２５のそれぞれは所定の厚さに形成されている。なお、重合板体３０の厚さが隙間１３よりも薄いものが望ましいが、弾性変形させて挿入できるものであれば、同程度の厚さあるいは重合板体３０のほうがやや厚いものであってもよい。
【００５２】
指詰防止具２０は、図４の説明において先述したように、作動部２２が復帰状態でＷ字形のものを使用するため、取付片２４の外側より挟持部材（不図示）などで挟み込んで弾性力を付勢させた状態で重合させておく。なお、手指で重合板体３０を挟み込み保持させておいてもよい。
【００５３】
このように、重合板体３０を形成させた指詰防止具２０を、折戸１０の連結部１１の前方より連結支点１１ｂにできた隙間１３に、指詰防止カバー部２１の両側の突起２１ａが戸板１２の端面１２ａａに当接するまで挿入してから、後方に回って、高さ方向の位置合わせを行い、挟持部材を外して、取付片２４を戸板１２の後面１２ｄに両面テープ（不図示）などで仮止めする（図８（ａ）、（ｂ）および図９（ａ）、（ｂ）を参照）。
【００５４】
その後、折戸１０の開閉動作を繰り返しながら、指詰防止カバー部２１が端面１２ａａに引っかかることなく動作するか、パンタグラフ機構が正常に作動するかなどを確認し、正常動作を確認できれば、折戸１０を完全に閉じた状態にして、取付片２４を戸板１２にビス３１で固定する（図９（ｃ）を参照）。
【００５５】
このように、指詰防止具２０は作動部２２を折り畳んで形成される重合板体３０が隙間１３に前方から挿入、装着できる構成であるため、工場や現場での取付作業など折戸１０の組立が簡易に行える。また、既設の折戸への後付けであっても、折戸を取り外すことなく簡易に作業が行える。また、指詰防止具２０は作動部２２を隙間１３の厚さ程度の薄板状に折り畳んでおけるので、指詰防止具２０を戸板１２に取り付ける前の段階では、取り扱いがしやすい。さらに、指詰防止カバー部２１を別体にしておき、装着時に一体化する構成であってもよく、そうすることで、取り扱いや保管がよりしやすい。
【００５６】
また、一対の取付片２４を折り畳んで重合させてから、戸板１２へ装着できる構成であるため、取付片の幅広ものでもスムースに作業でき、幅広の取付片で頑丈に取り付けることによって、折戸の開閉動作の繰り返しによっても指詰防止具を外れることを防止できる。
【００５７】
さらに、この指詰防止具は、折戸に装着する際には作動部と指詰防止カバー部と連結支持片とともに一体に結合されているため、部材を個別に装着したり、装着した後に部材間を結合したりする必要がなく、取付の手間がかからない。また、指詰防止具は指詰防止カバー部が一体化されているため、上記のように指詰防止カバー部を戸板１２の端面１２ａａに当接するまで挿入するだけで正しく位置決めでき、そのように指詰防止カバー部位置決めすることで指詰防止具を適切に配設することができる。
【００５８】
図１０は、第２の実施形態に係る指詰防止具を備えた折戸の一例を模式的に示す概略横断面図、および一点鎖線内を拡大して示す概略横断面図である。図１１および図１２は、いずれも同折戸への同指詰防止具の組み付け工程の一例を説明するための説明図であり、図１１（ａ）は、図１０におけるＹ２から見た概略拡大背面図、図１１（ｂ）は、図１１（ａ）に対応させた概略側面図、図１２（ａ）は、図１０の一点鎖線内拡大図に対応させた図、図１２（ｂ）は、図１２（ａ）の概略側面図である。図１３（ａ）、（ｂ）は、いずれも同折戸を示し、（ａ）は、図１０におけるＹ１から見た一部破断概略正面図、（ｂ）は、図１０におけるＹ２から見た一部破断概略背面図である。図１４〜図１６は、いずれも同折戸の指詰防止構造を説明するための説明図である。なお図１４〜図１６では、後述するキャップ３９の図示を省略している。
【００５９】
本実施形態に係る折戸１１０は、図１０に示すように、大略的に、２枚の戸板１１２，１１２と、該戸板１１２，１１２を、折り畳み自在に連結する連結部材１１９（図１３（ｂ）参照）と、該連結部材１１９によって連結された戸板１１２，１１２の連結部１１１に装着された指詰防止具１０１とを備えている。
【００６０】
この折戸１１０は、第１の実施形態と同様に、クローゼットの扉や、相互に隣接する居室間の開閉可能な間仕切りとして使用される。図例のものは、連結された一対の戸板１１２，１１２よりなる２組の折戸１１０，１１０が、敷居３に敷設されたガイドレール４上に、開閉移動可能に取り付けられている。
【００６１】
より具体的には、折戸１１０を構成する２枚の戸板１１２，１１２は、隣り合う端部１１２ａが連結部材１１９で回動可能に連結されているとともに、一方の戸板１１２の他方の端部１１２ｂが、柱１に取り付けた縦枠２にヒンジ結合され、他方の戸板１１２の他方の端部１１２ｂがレール４上に走行可能に取り付けられている。なお、一方の戸板１１２の前面には開閉操作用の把手１１８が設けられている。
【００６２】
このように、一方の戸板１１２を縦枠２にヒンジ結合したものでは、他方の戸板１１２をレール４上で移動させる場合には、蝶番１１９によって、連結部１１１が移動しながら折戸１１０は開閉される。
【００６３】
なお、本実施形態の折戸１１０についても、折戸１１０を構成するいずれの戸板１１２もが縦枠２にヒンジ結合されず、両戸板１１２ともにレール４上を移動するものにも適用が可能である。また、折戸は一対の戸板よりなるものに限定されず、複数対が連結されたものであってもよい。その場合、レール４上でも戸板同士が連結されるが、第１の実施形態と同様に、その連結部は本明細書でいう連結部１１１には含まれない。
【００６４】
また、上記戸板１１２，１１２の連結部１１１側の各端面１１３，１１３は、その手前側部がＣ面取り加工等によって形成された面取り部１１３ａ，１１３ａとされている。これら面取り部１１３ａ，１１３ａの形状は、後述する指詰防止具１０１の指詰防止カバー体１２０の形状およびその移動態様に合わせて、一面のみの面取り形状ではなく、多面形状（図例では四面からなる面取り部）にそれぞれ形成されている。また、折戸１１０が閉止されて、各戸板１１２，１１２の面取り部１１３ａ，１１３ａが互いに対向された状態では、図１６（ｂ）に示すように、前方に向けて拡開するような形状とされており、後述する指詰防止カバー体１２０は、これら面取り部１１３ａ，１１３ａ間に収容される形状とされている。
【００６５】
図例では、端面１１３の戸板１１２の後面１１４に直交する面を基準面として、戸板１１２の前面側に向けて順に面取りの角度が大きくなるように三面の面取り部１１３ａ（以下、この順に、面取り部１３ａのそれぞれの面を指すときには、一面目面取り部１１３ａ、二面目面取り部１１３ａ、三面目面取り部１１３ａとする。）が形成されており、最前面側の面取り部１１３ａ（以下、この面取り部１１３ａのみを指すときには、最前面取り部１１３ａとする。）は、隣接する三面目面取り部１１３ａよりも面取りの角度が小さくなるように形成されている。
【００６６】
なお、上記面取り部１１３ａの形状は、図例のような四面からなる多面形状とされたものに限られず、さらに粗く、または細かくＣ面取り加工を施すようにしてもよい。あるいは、凸湾曲面形状と凹湾曲面形状とを組み合わせた湾曲面形状、若しくは湾曲面形状とＣ面取り形状とを組み合わせた形状等としてもよい。
【００６７】
上記連結部材１１９は、本実施形態では、図１３（ｂ）に示すように、ヒンジピン１１９ａと、該ヒンジピン１１９ａを支点として折り畳み自在とされた一対の取付ハネ１１９ｂ，１１９ｂとを有した蝶番１１９とされている。本実施形態では、蝶番１１９の折り畳み支点であるヒンジピン１１９ａが、二枚の戸板１１２，１１２を折り畳み自在に連結した折戸１１０の連結支点（折り畳み支点）１１９ａを構成する。
【００６８】
この蝶番１１９は、各戸板１１２，１１２の連結部１１１側の各端部近傍後面１１４ａ，１１４ａに、それぞれの取付ハネ１１９ｂ，１１９ｂが木ネジ等によって止着されて固着されている。また、図例では、蝶番１１９は、一部が掘り込まれた戸板１１２，１１２に各取付ハネ１１９ｂが固着され取り付けられている。また蝶番１１９は、連結部１１１の上下方向に沿って適所に複数個（図例では３個）設けられている。
【００６９】
また、図１０において右方に位置する二点鎖線で示した折戸１１０は、上記閉状態から開状態への移行（開動）の途中（あるいは上記開状態から閉状態への移行（閉動）の途中）の状態と、閉状態とを示している。この折戸１１０の開動および閉動は、把手１１８をしてなされるが、上記閉動の際において、連結された各戸板１１２，１１２の後面１１４，１１４のなす角θ（開き角θ）が、例えば、８０°〜１００°程度以上の状態では、折戸１１０の連結部１１１近傍部位を、前方から後方に向けて押すことによっても折戸１１０の閉動（以下、押圧閉動と略す）が可能とされている。
【００７０】
上記のように、折戸１１０の開動および閉動がなされる際、上記戸板１１２，１１２の連結部１１１側の各端面１１３，１１３間には、後述するように折戸１１０の開閉に伴って、拡大および縮小される扇状の空間ｆｓ（図１４〜図１６も参照）が形成される。
【００７１】
この折戸１１０の開閉に伴って拡縮される空間ｆｓに、後述する支持部１３０によって、上記折戸１１０の開動時には、背面側に向けて移動（連結支点１１９ａに対して近接移動）させられる一方、上記折戸１１０の閉動時には、手前側に向けて移動（連結支点１１９ａに対して離反移動）させられる指詰防止カバー体１２０が配される。
【００７２】
上記指詰防止具１０１は、上記連結支点１１９ａの前方に配された指詰防止カバー体１２０と、該指詰防止カバー体１２０を移動可能に支持する支持部１３０とを備えている。この指詰防止カバー体１２０は、図１３（ａ）に示すように、隣接する戸板１１１，１１１の連結部１１１の前方に、上下方向の略全長にわたって配されている。
【００７３】
この指詰防止カバー体１２０は、本実施形態では、図１５（ｂ）に示すように、当該折戸１１０が閉止された状態では、各戸板１１２，１１２の面取り部１１３ａ，１１３ａ間に、略全体が収容される形状とされている。また、該指詰防止カバー体１２０の前面１２１は、その中央部が、当該折戸１１０が閉止された状態における各戸板１１２，１１２の手前側面と略面一状となるように平坦面とされるとともに、その左右側部が、各戸板１１２，１１２の各端面１１３，１１３側に向けて拡開するように傾斜する傾斜面とされている。換言すれば、該指詰防止カバー体１２０の手前側部の断面形状が、手前側に向けて先細りの略等脚台形状とされている。
【００７４】
また、該指詰防止カバー体１２０の後面の左右側部は、上記連結支点１１９ａに向けて先細り状とされたテーパ面部１２２，１２２とされている。換言すれば、該指詰防止カバー体１２０の後面側部の断面形状が、連結支点１１９ａに向けて先細りの略等脚台形状とされている。このテーパ面部１２２，１２２は、図１６（ｂ）に示すように、当該折戸１１０が閉止された状態では、上記三面目面取り部１１３ａとの間に当接しない程度のわずかなクリアランスを隔てて、該三面目面取り部１１３ａに近接対面している。
【００７５】
上記前面１２１の左右側部にそれぞれ形成された傾斜面は、当該折戸１１０が閉止された状態においては、上記最前面取り部１１３ａのそれぞれとともに、横断面が略Ｖ字状の目地溝をそれぞれ形成している。これにより、当該折戸１１０が閉止された状態では、図１３（ａ）に示すように、各戸板１１２，１１２の手前側面と略面一状となるように平坦面とされた中央部を挟んで左右に二本の略Ｖ字状の目地溝が上下方向の全長にわたって形成されたような外観となり、美観性に優れた折戸１１０となる。また、該指詰防止カバー体１２０は、折戸１１０の上下長さ（高さ）の略全長に亘って配される長さとされているので、当該指詰防止カバー体１２０によって、各戸板１１２，１１２の連結部１１１側の端部１１２ａ，１１２ａ間の隙間ｇが、手前側から見た場合には、その上下方向の全長にわたって隠される。これにより美観性を向上させることができる。
【００７６】
また、本実施形態では、該指詰防止カバー体１２０の後面側の中央部には、上下方向の全長にわたって、後述する連結支持片１３１と連結される係合部を構成する係止凹部１２３，１２３が切り欠き形成されている。これら係止凹部１２３，１２３は、後面側から見て比較的、深い位置となる手前側部に位置するように形成されている。このように手前側部に位置するように形成された係止凹部１２３，１２３を設けた当該指詰防止カバー体１２０によって、後述する連結支持片１３１の前端部１３２を囲むようにしている。
【００７７】
上記指詰防止カバー体１２０は、例えば、金属材や硬質の合成樹脂材からなるものとしてもよい。上記金属材としては、スチールや炭素鋼、ステンレス鋼、アルミニウム、アルミニウム合金等、どのようなものでも良いが、鋼鉄材等と比べて、比較的軽量かつ安価であるアルミニウムからなるものとしてもよい。
【００７８】
上記支持部１３０は、上記指詰防止カバー体１２０に連結され、連結部１１１側の各端部１２ａ，１２ａ間に形成される隙間ｇに前後に挿通された薄板状の連結支持片１３１と、該連結支持片１３１の後端部１３４に、それぞれ回動自在に連結された一対の作動片を構成するリンク状部材１３５，１３５とを備えている。
【００７９】
この一対の作動片１３５，１３５は、後述するように、指詰防止カバー体１２０を、折戸１１０の動作に連動して、連結支持片１３１を介して前後に移動させる作用を有した作用部１３５Ｂを備えた作動部１３５Ａを構成する。
【００８０】
上記連結支持片１３１の前端部１３２は、左右に二股に分岐されており、該分岐された部位のそれぞれ先端部には、外方に向けて屈曲形成された被係合部を構成する係止爪部１３３，１３３が形成されている。この二股に分岐された前端部１３２の幅（当該折戸１１０のスライド方向に沿う幅）は、図１０に示すように、当該折戸１１０が折り畳まれた状態の戸板１１２，１１２の連結部１１１側の各端部１１２ａ，１１２ａ間の隙間ｇと略同幅とされている。すなわち、最大幅の隙間ｇ（例えば、３．０ｍｍ〜５．０ｍｍ程度）と略同幅とされており、この二股に分岐された部位の両側部は、折り畳まれた状態の戸板１１２，１１２の各端部近傍後面１１４ａ，１１４ａに当接あるいは近接対面している。また、上記連結支持片３１の後側部の幅（厚さ）は、図１６（ｂ）に示すように、当該折戸１１０が閉止された状態における最小幅の隙間ｇ（例えば、０．５ｍｍ〜３．０ｍｍ程度）よりも小さく形成されている。この係止爪部１３３，１３３は、図１０に示すように、折戸１１０が全開された状態で、連結支点１１９ａよりも前方に向けて突出している。
【００８１】
また、上記係止爪部１３３，１３３が、上記指詰防止カバー体１２０の後面側に形成された係止凹部１２３，１２３にそれぞれ係止されて、該指詰防止カバー体１２０と連結支持片１３１との連結がなされる。
【００８２】
上記指詰防止カバー体１２０の係止凹部１２３，１２３は、上述のように、当該指詰防止カバー体１２０の上下方向の全長に亘って設けられているので、その上下方向に沿ういずれの部位にも上記連結支持片１３１の係止爪部１３３，１３３を係止させることができる。すなわち、当該指詰防止カバー体２０の上下方向の適所に、支持部１３０を設けることができる。
【００８３】
上記作動部１３５Ａの中央部に位置する上記連結支持片１３１の後端部１３４には、一対のリンク状部材１３５，１３５の支持片側枢軸１３７，１３７をそれぞれ回動自在に枢支する軸受部１３４ａ，１３４ａが、当該連結支持片１３１の前後方向中心線を挟んで左右対称位置にそれぞれ形成されている。
【００８４】
すなわち、一対のリンク状部材１３５，１３５の支持片側枢軸１３７，１３７は、それぞれの回動支点が異なるように、上記連結支持片１３１の後端部１３４に形成された軸受部１３４ａ，１３４ａにそれぞれ枢支されている。このように、一対のリンク状部材１３５，１３５の支持片側枢軸１３７，１３７の回動支点を異ならせているので、これら枢軸１３７，１３７に連結された連結支持片１３１が、左右に揺動するようなことを防止できる。
【００８５】
また、上記連結支持片１３１は、図１６（ｂ）に示すように、当該折戸１１０が閉止された状態で、その後端部１３４が各戸板１１２，１１２の後面１１４，１１４側から後方に向けて突出するように形成されており、その突出された後端部１３４に一対のリンク状部材１３５，１３５の支持片側枢軸１３７，１３７が連結されている。
【００８６】
上記一対のリンク状部材１３５，１３５は、図１１（ａ）に示すように、その一端部の基部側枢軸１３６，１３６が、隣接する戸板１１２，１１２の連結部１１１側の各端部近傍後面１１４ａ，１１４ａにそれぞれ固着された取付基部１３８，１３８の軸受部１３８ａ，１３８ａに、それぞれ枢支されている。
【００８７】
また、上記一対のリンク状部材１３５，１３５は、それぞれ同寸同形状とされている。図例では、図１１（ｂ）に示すように、棒状部材をクリップ状に屈曲させたような形状とされ、基部側枢軸１３６，１３６の上下端からそれぞれ二本のアームを屈曲させて背面側に向けて延出させ、これら二本のアームをそれぞれ上下に屈曲させて、これら上下に屈曲させた部位のそれぞれが、支持片側枢軸１３７，１３７とされている。
【００８８】
上記一対のリンク状部材１３５，１３５のそれぞれ支持片側枢軸１３７，１３７は、上記したように、当該折戸１１０が閉止された状態で、連結支持片１３１の突出された後端部１３４に連結されている。すなわち、上記一対のリンク状部材１３５，１３５のそれぞれが、各戸板１１２，１１２の各後面１１４，１１４と所定の角度を形成するように上記連結支持片１３１の後端部１３４に連結されている。この所定の角度は、後述するように折戸１１０の開動作および閉動作に伴ってなされる一対のリンク状部材１３５，１３５の折り畳み動作および展開動作がなされる際に、その折り畳み、展開動作がスムースになされるような程度の角度とすればよく、例えば、２０°〜６０°程度としてもよい。
【００８９】
このように、折戸１１０が閉止された状態において、各リンク状部材１３５，１３５と戸板１１２，１１２の各後面１１４，１１４とのなす角が所定の角度となるようにすることで、これら一対のリンク状部材１３５，１３５が折り畳まれる際に、互いに突っ張りあうようなことがなく、また、展開される際に、互いに引っ張りあうようなことがない。
【００９０】
また、本実施形態では、上記一対のリンク状部材１３５，１３５は、その後述する展開動作に伴う連結支持片１３１の前方への変位量が、折戸１１０が全開された状態から開き角θが約９０°程度になるまで漸増し、９０°〜１５０°の間の所定の開き角θで最大となり、開き角θが約１５０°程度の状態から折戸１０が閉止されるまで漸減するよう構成されている。この連結支持片１３１の前方への変位に対応させて、上記指詰防止カバー体１２０のテーパ面部１２２，１２２が上記戸板１１２，１１２の連結部１１１側の各端面１１３，１１３に近接対面して移動するよう、これら指詰防止カバー体１２０および上記した各端面１１３，１１３の面取り部１１３ａ，１１３ａを形成している。
【００９１】
上記取付基部１３８，１３８は、各端部近傍後面１１４ａ，１１４ａのそれぞれに、各戸板１１２，１１２の連結部１１１側の各端面１１３，１１３から、その軸受部１３８ａ，１３８ａのそれぞれが均等位置となるようにネジ等の止着具ｗｓによって固着されている。
【００９２】
上記構成とされた一対のリンク状部材１３５，１３５は、図１０に示すように、それぞれの支持片側枢軸１３７，１３７を支点として回動されて折り畳まれた状態では、互いに略平行となるまで折り畳まれる。このようにコンパクトに折り畳まれる構成とされているので、上記取付基部１３８，１３８を含み、上記一対のリンク状部材１３５，１３５の全体および上記連結支持片１３１の薄板状とされた後側部は、図１０に示すように、当該折戸１１０が全開された状態では、各戸板１１２，１１２の後面１１４，１１４間に、上記隙間ｇによって形成される空間に収容される構造となる。
【００９３】
すなわち、折戸１１０が全開された状態では、各戸板１１２，１１２の後面１１４，１１４間の空間が狭小となるが、その狭小なスペースに、上記のように支持部１３０の一部が収容されるので、折戸１１０の全開状態が、当該指詰防止具１０１によって阻害されるようなことがない。
【００９４】
上記連結支持片１３１、一対のリンク状部材１３５，１３５および取付基部１３８，１３８を備えた支持部１３０は、図１３（ｂ）に示すように、連結部１１１の上下方向に沿って適所に複数個（図例では３個）設けられている。
【００９５】
なお、支持部１３０の設置個数は、折戸１１０の上下長さや、指詰防止カバー体１２０の長さおよび重量、当該支持部１３０の連結支持片１３１の上下長さ等に応じて、指詰防止カバー体１２０を移動可能に支持できる個数とすればよい。例えば、複数個の支持部１３０にて支持する態様に限られず、一つの支持部１３０によって支持する態様としてもよい。
【００９６】
また、図１０〜１２において、符号１３９は、上記連結支持片１３１の後端部１３４を覆うキャップである。
【００９７】
上記折戸１１０に、上記構成とされた指詰防止具１０１を組み付ける際には、図１１（ａ）、（ｂ）に示すように、支持部１３０の連結支持片１３１を、上記隙間ｇに前後に挿通し、一対の取付基部１３８，１３８を上述のように、戸板１１２，１１２の各端面１１３，１１３から均等位置となるように各戸板１１２，１１２の各端部近傍後面１１４ａ，１１４ａにそれぞれ固着する。上記連結支持片１３１の挿通は、開状態とされた折戸１１０の上記隙間ｇから挿通するようにしてもよく、あるいは、工場等にて組み付ける際には、蝶番１１９によって各戸板１１２，１１２を連結する前に、各戸板１１２，１１２の端面１１３，１１３間に挟みいれるようにして行うようにしてもよい。
【００９８】
上記のように、一対のリンク状部材１３５，１３５は、略同寸同形状とされており、その基部側枢軸１３６から支持片側枢軸１３７までの長さが、それぞれ同寸法とされているので、上記のように取付基部１３８，１３８を均等位置となるように固着することで、連結支持片１３１の位置決めを容易に行うことができる。すなわち、連結支持片１３１が左右に位置ずれすることなく上記隙間ｇの中心に位置するように当該支持部１３０を取付けることができる。
【００９９】
次いで、図１２（ａ）、（ｂ）に示すように、上記支持部１３０が取付けられた状態で、折戸１１０を開状態として、上記連結支持片１３１の前端部１３２に形成された上記係止爪部１３３，１３３と上記指詰防止カバー体１２０の後面側に形成された係止凹部１２３，１２３とを係合させる。上記係止爪部１３３，１３３は、二股に分岐された前端部１３２に形成されているので、その弾性変形を伴って容易に係合させることができる。
【０１００】
上記のように支持部１３０に指詰防止カバー体１２０を係止させることで、図１０に示すように、指詰防止具１０１を容易に折戸１１０に装着することができる。
【０１０１】
なお、上記のように連結支持片１３１の前端部１３２の係止爪部１３３，１３３と、指詰防止カバー体１２０の係止凹部１２３，１２３とを係合させる際に、接着剤等を塗布して接着固定するようにしてもよい。
【０１０２】
上記構成によれば、施工後（既設）の折戸１０に対しても当該指詰防止具１０１を組み付けることができる。また、上記のように連結支持片１３１の前端部１３２に形成された係止爪部１３３，１３３は、開状態とされた折戸１１０の連結支点１１９ａよりも前方に向けて突出する構成とされているが、上述のように、上記指詰防止カバー体１２０は、その前端部１３２を囲むように係合される形状とされているので、組み付け性を向上させることができるとともに、これらの係合部位が見えるようなことがなく、美観性を向上させることができる。
【０１０３】
次に、上記構成とされた指詰防止具１０１が装着された折戸１１０における指詰防止構造について、図１４〜図１６に基づいて説明する。
【０１０４】
図１０の一点鎖線内の拡大図に示すように、折戸１１０が全開された状態から把手１１８をして折戸１１０をスライドさせて、開き角θが約３０°程度となるまで折戸１１０の閉動がなされる際には、図１４（ａ）に示すように、一対のリンク状部材１３５，１３５の展開動作を伴い、作用部１３５Ｂが前方に移動して、それに伴って連結支持片１３１が連結支点１１９ａに対して前方に移動する。すなわち、これら一対のリンク状部材１３５，１３５と、各戸板１１２，１１２とが、拡縮されるパンタグラフ機構を構成するようにして、各戸板１１２，１１２の開き角θが大きくなるに伴って、一対のリンク状部材１３５，１３５が折り畳まれた状態から展開動作をなし、その支持片側枢軸１３７，１３７が連結支点１１９ａに向けて近接移動する。この動作に伴って、支持片側枢軸１３７，１３７に連結された連結支持片１３１が連結支点１１９ａに対して前方に向けて押し出されるように移動し、その前端部１３２に連結された指詰防止カバー体１２０が、各端面１１３，１１３間に形成される扇状の空間ｆｓを前方に向けて移動、すなわち、連結支点１１９ａに対して離反移動する。
【０１０５】
上記状態から図１４（ｂ）に示すように、開き角θが約６０°程度となるまで折戸１１０の閉動がなされる際には、上記同様、一対のリンク状部材１３５，１３５の更なる展開動作を伴って、指詰防止カバー体１２０が手前側に向けて移動する。この状態では、各戸板１１２，１１２の連結部１１１側の各端面１１３，１１３と、指詰防止カバー体１２０の上記テーパ面部１２２，１２２とが、所定のクリアランスを隔てて近接対面している。
【０１０６】
また、上記状態から図１５（ａ）に示すように、開き角θが約９０°程度となるまで折戸１１０の閉動がなされる際には、上記同様、一対のリンク状部材１３５，１３５の更なる展開動作を伴って、指詰防止カバー体１２０が手前側に向けて移動する。この状態では、上記各端面１１３，１１３の上記各一面目面取り部１１３ａと、指詰防止カバー体１２０の上記テーパ面部１２２，１２２とが、上記クリアランスよりも狭小とされたクリアランスを隔てて近接対面している。
【０１０７】
上記状態から図１５（ｂ）に示すように、開き角θが約１２０°程度となるまで折戸１１０の閉動がなされる際には、上記同様、指詰防止カバー体１２０が手前側に向けて移動し、この状態では、上記各端面１１３，１１３の上記各二面目面取り部１１３ａと、指詰防止カバー体１２０の上記テーパ面部１２２，１２２とが、上記クリアランスよりもさらに狭小とされたクリアランスを隔てて近接対面している。
【０１０８】
また、上記状態から図１６（ａ）に示すように、開き角θが約１５０°程度となるまで折戸１１０の閉動がなされる際には、上記同様、指詰防止カバー体１２０が手前側に向けて移動し、上記各端面１１３，１１３の上記各三面目面取り部１１３ａと、指詰防止カバー体１２０の上記テーパ面部１２２，１２２とが、上記クリアランスよりもさらに狭小とされたクリアランスを隔てて近接対面している。
【０１０９】
上記状態からさらに折戸１１０の閉動がなされて、図１６（ｂ）に示すように、閉止された状態では、上記指詰防止カバー体１２０は、各端面１１３，１１３の面取り部１１３ａ，１１３ａ間に収容され、これら各端面１１３，１１３の上記各三面目面取り部１１３ａと、該指詰防止カバー体１２０の上記テーパ面部１２２，１２２とが、上記クリアランスよりもさらに狭小とされたクリアランスを隔てて近接対面している。
【０１１０】
このような折戸１０の閉動に伴って、各戸板１１２，１１２の連結部１１１側の各端面１１３，１１３間に形成される扇状の空間ｆｓは、徐々に小さくなるが、上記のように指詰防止カバー体１２０もそれに伴って、支持部１３０によって前方に向けて移動させられるので、これら各端面１１３，１１３と指詰防止カバー体１２０とは当接することなく、上述のように所定のクリアランスを保持した状態で、その閉動がなされる。
【０１１１】
上記所定のクリアランスは、上記各端面１１３，１１３と指詰防止カバー体１２０とが当接しない程度以上、かつ、少なくとも押圧閉動の可能な状態から閉動がなされる際に手指等の挿入がなされない程度以下とすればよい。例えば、押圧閉動の可能な状態から閉動がなされる際のクリアランスが、０．５ｍｍ〜２．０ｍｍ程度となるようにしてもよい。
【０１１２】
本実施形態では、上記所定のクリアランスは、上述のように、当該折戸１１０が全開された状態から閉動がなされる際に、概ね徐々に小さくなるように、上記指詰防止具１の各部材および上記各戸板１１２，１１２の各端面１１３，１１３を形成している。
【０１１３】
一方、図１６（ｂ）に示すように、閉止状態とされた折戸１１０を、開放させる際には、把手１１８（図１０参照）を、手前側かつ固定側（縦枠２（図１０参照）側）の戸板１１２側に向けてスライドさせることで開動がなされる。この折戸１０の開動作がなされる際には、その開動作に伴って、上記した閉動作とは逆に、一対のリンク状部材１３５，１３５の折り畳み動作がなされる。
【０１１４】
すなわち、連結支点１１９ａを中心とする折り畳み動作に伴って、これら戸板１１２，１１２の各端部近傍後面１１４ａ，１１４ａにそれぞれの基部側枢軸１３６，１３６が枢着された上記一対のリンク状部材１３５，１３５が折り畳まれる。この一対のリンク状部材１３５，１３５が折り畳まれることによって、支持片側枢軸１３７，１３７に連結された連結支持片１３１が連結支点１１９ａに対して後方に向けて引き込まれるように移動する。これにより、連結支持片１３１の前端部１３２に連結された指詰防止カバー体１２０が、各端面１１３，１１３間に形成される扇状の空間ｆｓを後方に向けて移動、すなわち、連結支点１１９ａに対して近接移動する。
【０１１５】
以上のように、本実施形態に係る指詰防止具１０１を装着した折戸１１０によれば、折戸１１０が開状態から閉状態へ移行する際に、戸板１１２，１１２の連結部１１１側の各端面１１３，１１３間で狭まってゆく扇状の空間ｆｓに手指が存在している場合にも、上述のように指詰防止カバー体１２０は、その空間ｆｓを連結支点１１９ａに対して前方に向けて移動するので、手指が該空間ｆｓからはじき出されるようにして、危険空間への指の進入の防止がなされる。
【０１１６】
また、当該折戸１１０の開、閉動作に伴ってなされる上記指詰防止カバー体１２０の近接、離反移動は、上記各端面１１３，１１３との間に所定のクリアランスを保持してなされるので、折戸１１０の開、閉動作に伴って、該指詰防止カバー体１２０が上記各端面１１３，１１３に当接して摺り動くようなことがなく、これら各端面１１３，１１３および指詰防止カバー体１２０が互いに傷付けられたり、磨耗したりするようなことがない。これにより、当該指詰防止カバー体１２０および上記各端面１１３，１１３の美観性が保たれる。
【０１１７】
さらに、上記指詰防止具１０１の支持部１３０は、上記指詰防止カバー体１２０を移動可能に支持できるように該指詰防止カバー体１２０の上下方向の適所に設けるようにすればよく、上下長さ（高さ）が異なる折戸１１０に対して、上記指詰防止カバー体１２０の上下長さを適宜、調整することで、当該指詰防止具１０１を容易に装着させることができる。
【０１１８】
さらにまた、本実施形態では、上記のように、当該折戸が閉止された状態で、各戸板１１２，１１２の面取り部１１３ａ，１１３ａ間に、上記指詰防止カバー体１２０の略全体が収容される構成としているので、連結部ｃｐの前方に配される指詰防止カバー体２０が各戸板１１２，１１２の手前側面から突出するようなことがなく、美観性に優れた折戸１１０となる。
【０１１９】
また、上記のように、上記指詰防止カバー体１２０のテーパ面部１２２，１２２と、上記各端面１１３ａ，１１３ａとは、少なくとも当該折戸１１０の押圧閉動が可能となる状態から閉動作がなされる際に、上記テーパ面部１２２，１２２が上記各端面１１３，１１３に沿って近接対面して移動するように形成しているので、上記空間ｆｓにおける指の挟みこみを効果的に防止できる。
【０１２０】
すなわち、例えば、上記指詰防止カバー体の後面側の形状を、凸湾曲面形状としたり、該指詰防止カバー体の形状を平板状のものとしたりすれば、各端面と近接対面する部位が比較的、小さくなり、その部位において指等が入り込みやすくなったり、該指詰防止カバー体が、例えば、指等で押された場合に、左右方向にズレが生じやすくなり、そのズレが生じた箇所から指等が入り込みやすくなったりする場合がある。
【０１２１】
一方、上記構成とされた本実施形態では、当該指詰防止カバー体１２０が、例えば、指等に押されて左右方向のいずれか一方にズレが生じた場合にも、各端面１１３，１１３とテーパ面部１２２，１２２とは、少なくとも当該折戸の押圧閉動が可能となる状態から閉動作がなされる際には近接対面している。従って、該指詰防止カバー体１２０の後面の左右側部のテーパ面部１２２，１２２が押方向とは異なる側の戸板１１２の端面１１３に当接して、該指詰防止カバー体１２０の移動（ズレ）が規制されるので、該指詰防止カバー体１２０と押方向側における端面１１３との空隙の拡大を低減できる。
【０１２２】
また、上述のような構成により、指詰防止カバー体１２０と各端面１１３，１１３との間に大きな空隙が形成されず、当該折戸１１０の美観性を向上させることができる。
【０１２３】
なお、本実施形態では、折戸１０の各戸板１１２，１１２の連結部１１１側の各端部１１２ａ，１１２ａに面取り部１１３ａ，１１３ａを形成し、これら面取り部１１３ａ，１１３ａ間に、上記指詰防止カバー体１２０が、当該折戸１１０の閉止状態において、その略全体が収容される形状とされた態様を例示しているが、このような態様に限られない。
【０１２４】
例えば、上記面取り部１１３ａ，１１３ａ間に、閉止状態において、上記指詰防止カバー体１２０が収容されないような態様としてもよく、あるいは、上記のような面取り部１１３ａ，１１３ａを有していない折戸に対して、本実施形態に係る指詰防止具１を適用することも可能である。この場合は、指詰防止カバー体１２０の形状や連結支持片１３１の長さ（隙間ｇに挿通される前後長さ）、リンク状部材１３５，１３５の長さや戸板１１２の後面１１４との取付角度等を適宜、設定すればよい。すなわち、折戸の開動作、閉動作に伴って、各戸板の連結部側の端面間にて拡大、縮小される上記扇状の空間を、指詰防止カバー体が各端面に当接しないように連結支点に対して近接移動、離反移動するように、指詰防止カバー体およびこの指詰防止カバー体を連結支点に対して近接移動、離反移動させる支持部を構成すればよい。
【０１２５】
また、本実施形態では、指詰防止カバー体１２０、連結支持片１３１、一対のリンク状部材１３５，１３５および取付基部１３８，１３８を、それぞれ別体とし、折戸１１０の連結部１１１に取付けられた支持部１３０に対して、指詰防止カバー体１２０を取付け得る態様を例示しているが、このような態様に限られない。例えば、指詰防止カバー体の後面側の適所に、連結支持片の全体あるいは一部を、一体的に形成するような態様としてもよい。
【０１２６】
さらに、上記支持部１３０の一対のリンク状部材１３５，１３５の形状は、それぞれ二本のアーム部からなる図例のような形状に限られず、蝶番のような板状体からなるものを一対の作動片としてもよい。
【０１２７】
以上のように、第１、第２の実施形態はいずれも、作動部２２，１３５Ａが中央部２２ｂ，１３４で折り畳み展開を自在とした対の構造をなし、その中央部２２ｂ，１３４が折戸１０の開閉動作に伴って作用部２３，１３５Ｂとして動作する構成となっているため、指詰防止具２０，１を簡易な構造で形成できる。さらに、指詰防止カバー部２１，１２０は折戸の動作に伴って作動する構成であるため、開閉な状況に応じた戸板端部間の遮蔽を確実かつスムースにできる（以上、図１および図１０を参照）。
【０１２８】
また、指詰防止具（指詰防止カバー部）を動作させる作動部およびその作動部に備えられる作用部は、上記のように、折戸の開閉動作に伴うパンタグラフ機構を動作させるものには限られない。例えば、折戸の開閉に伴って、連結支持片を移動させる作用部を、ギア、カム、リンク機構、シリンダ等の機械的手段（機械式アクチュエータ）や、ソレノイド、モータ等の電気的手段（電気式アクチュエータ）によって構成するようにしてもよい。
【図面の簡単な説明】
【０１２９】
【図１】本発明の指詰防止具および折戸の第１の実施形態の説明図であり、同折戸の設置状態を示す横断面図、および折戸（連結部）の拡大部分横断面図である。
【図２】同折戸の概略正面図である。
【図３】同折戸の概略背面図である。
【図４】同指詰防止具の部分斜視図である。
【図５】同折戸の閉動時の連結部の状態を時系列に示した説明図であり、（ａ）、（ｂ）は同折戸（連結部）の拡大部分横断面図である。
【図６】（ａ）、（ｂ）は、図５よりもさらに閉動された状態の同折戸（連結部）の拡大部分横断面図である。
【図７】（ａ）、（ｂ）は、図６よりもさらに閉動された状態の同折戸（連結部）の拡大部分横断面図である。
【図８】（ａ）、（ｂ）は、指詰防止具の折戸の連結部への取付手順を示す概略部分横断面図である。
【図９】（ａ）〜（ｃ）は、指詰防止具の折戸の連結部への取付手順を示す概略部分横断面図である。
【図１０】本発明の指詰防止具および折戸の第２の実施形態の説明図であり、同折戸の設置状態を示す横断面図、および折戸（連結部）の拡大部分横断面図である。
【図１１】（ａ）、（ｂ）は、いずれも同折戸への同指詰防止具の組み付け工程の一例を説明するための説明図であり、（ａ）は、図１０におけるＹ２から見た概略拡大背面図、（ｂ）は、（ａ）に対応させた概略側面図である。
【図１２】（ａ）、（ｂ）は、いずれも同組み付け工程を説明するための説明図であり、（ａ）は、図１０の一点鎖線内拡大図に対応させた図、（ｂ）は、（ａ）の概略側面図である。
【図１３】（ａ）、（ｂ）は、いずれも同折戸を示し、（ａ）は、図１０におけるＹ１から見た一部破断概略正面図、（ｂ）は、図１０におけるＹ２から見た一部破断概略背面図である。
【図１４】同折戸の閉動時の折戸の連結部の状態を時系列に示した説明図であり、（ａ）、（ｂ）は同折戸（連結部）の拡大部分横断面図である。
【図１５】（ａ）、（ｂ）は、図１４よりもさらに閉動された状態の同折戸（連結部）の拡大部分横断面図である。
【図１６】（ａ）、（ｂ）は、図１５よりもさらに閉動された状態の同折戸（連結部）の拡大部分横断面図である。
【符号の説明】
【０１３０】
（第１の実施形態）
１０      折戸
１１      連結部
１１ａ      蝶番
１１ｂ      連結支点
１２      戸板
１２ａ      連結端部
１２ａａ      端面
１２ａｂ      前方角部
１２ａｃ      面取り部
１２ａｄ      後方角部
１２ｂ      他の端部
１２ｃ      前面
１２ｄ      後面
１３      連結部側の戸板端部間の隙間
２０      指詰防止具
２１      指詰防止カバー部
２２      作動部
２２ａ      作動部本体
２２ｂ      中央折曲部（中央部）
２２ｃ      取付折曲部
２３      作用部
２４      取付片（取付部）
２５      連結支持片
ｆｓ      戸板端部間の空間
（第２の実施形態）
１０１      指詰防止具
１１０      折戸
１１１      連結部
１１２      戸板
１１２ａ      連結部側の端部
１１３      連結部側の端面
１１３ａ      面取り部
１１４ａ      端部近傍後面
１１５ａ      端部近傍上端面（連結部における戸板の上端面）
１１６ａ      端部近傍下端面（連結部における戸板の下端面）
１１９        蝶番
１１９ａ      蝶番のヒンジピン（連結支点）
１２０      指詰防止カバー体（指詰防止カバー部）
１２２      指詰防止カバー体のテーパ面部
１２４      指詰防止カバー体の上端部
１２５      指詰防止カバー体の下端部
１３０      支持部
１３１      連結支持片
１３２      連結支持片の前端部
１３４      連結支持片の後端部（作動部の中央部）
１３５      リンク状部材（作動片）
１３５Ａ      作動部
１３５Ｂ      作用部
１３６      リンク状部材の基部側枢軸（作動片の一端部）
１３７      リンク状部材の支持片側枢軸（作動片の他端部）
ｇ      連結部側の戸板端部間の隙間
ｆｓ      戸板端部間の空間
【図１】
2010084399.tif 000003
【図２】
2010084399.tif 000004
【図３】
2010084399.tif 000005
【図４】
2010084399.tif 000006
【図５】
2010084399.tif 000007
【図６】
2010084399.tif 000008
【図７】
2010084399.tif 000009
【図８】
2010084399.tif 000010
【図９】
2010084399.tif 000011
【図１０】
2010084399.tif 000012
【図１１】
2010084399.tif 000013
【図１２】
2010084399.tif 000014
【図１３】
2010084399.tif 000015
【図１４】
2010084399.tif 000016
【図１５】
2010084399.tif 000017
【図１６】
2010084399.tif 000018